(57)【要約】      （修正有）【課題】被治療者の上肢部に負担をかけずに、いつでもどこでも手軽に超音波眼科治療を可能にするため、ハンディタイプの超音波眼科治療器を保持して平坦面上に静止立設する保持器具を提供する。【解決手段】平坦面に当接して略水平に設置される基体部１１０と、基体部１１０の正面側の端部から背面側に傾斜して立設され、正面視において略逆漏斗型をなす斜体部１２０と、斜体部１２０の頂部に固設されたガイド部１３０と、ガイド部１３０にスライド可能に挿通された支持部１４０と、支持部１４０の上端部に固設され、超音波眼科治療器が取りはずし可能に取り付けられる取付部１５０とを備える。ガイド部１３０および支持部１４０ならびに取付部１５０が、側面視において斜体部１２０の傾斜角θに応じて傾斜配設されている。【選択図】図１
0003178700.tif 000002
【実用新案登録請求の範囲】
【請求項１】
ハンディタイプの超音波眼科治療器を保持して平坦面上に静止立設するための保持器具であって、
前記平坦面に当接して略水平に設置される基体部と、
前記基体部の正面側の端部から背面側に傾斜して立設され、正面視において略逆漏斗型をなす斜体部と、
前記斜体部の頂部に固設されたガイド部と、
前記ガイド部にスライド可能に挿通された支持部と、
前記支持部の上端部に固設され、前記超音波眼科治療器が取りはずし可能に取り付けられる取付部と
を備え、
前記ガイド部および前記支持部ならびに前記取付部が、側面視において前記斜体部の傾斜角に応じて傾斜配設されている
ことを特徴とする超音波眼科治療器の保持器具。
【請求項２】
前記基体部の背面側の端部から立設されたハンドル部をさらに備えたことを特徴とする請求項１に記載の超音波眼科治療器の保持器具。
【請求項３】
前記ガイド部が、前記超音波眼科治療器を保持したときの重心移動を低減するバランサ機能を有することを特徴とする請求項１または２に記載の超音波眼科治療器の保持器具。
【請求項４】
前記基体部および前記斜体部が、屈曲加工された１本の金属棒によって構成されていることを特徴とする請求項１ないし３のいずれかに記載の超音波眼科治療器の保持器具。
【考案の詳細な説明】
【技術分野】
【０００１】
本考案は、ハンディタイプの超音波眼科治療器を保持してテーブル面等の平坦面に静止立設する保持器具に関するものである。
【背景技術】
【０００２】
超音波治療器は、超音波エネルギーを患部に照射し、この超音波エネルギーのマッサージ効果によって、患部を治療するものである。そして、超音波眼科治療器は、視力回復治療や眼精疲労回復治療に使用されるものである（例えば特許文献１参照）。なお、超音波治療器には、上記超音波眼科治療器の他にも、骨折治療や腰痛治療に使用されるものもある（例えば特許文献２参照）。
【０００３】
上記骨折治療や腰痛治療に使用される超音波治療器は、超音波を発生させる振動子およびその駆動回路を器内に備えたハンディタイプのものが主流であり、さらに上記駆動回路に電力を供給する電池を内蔵させてコードレスとしたものもある（例えば特許文献２参照）。
【０００４】
同様に、上記超音波眼科治療器も、超音波振動子および駆動回路を器内に備えたハンディタイプのものが主流であり、さらに上記駆動回路の電源を電池とすることによって持運び自在としたものもある（例えば非特許文献１参照）。
【０００５】
超音波眼科治療器は、より詳細には、超音波振動子によって発生させた超音波を振動エネルギーとして投射する導子部を、被治療者の瞼の上に軽く押し当てて使用され、瞼を介して眼球部（眼球および眼球筋）に超音波周波数の振動を作用させ、この振動で眼球部をマッサージすることによって、視力回復効果や眼精疲労回復効果を得るものである。
【０００６】
ハンディタイプの超音波眼科治療器で治療するときには、被治療者は、自身の両手あるいは片手で超音波眼科治療器の把手部を握持し、超音波眼科治療器の導子部が瞼に軽く押し当てられるように超音波眼科治療器を静止支持しておく。治療時間は、例えば、片眼がおよそ５分間、両眼でおよそ１０分間である。
【０００７】
上記ハンディタイプの超音波眼科治療器は、医師の指導に従って使用するのであれば、治療施設に赴かなくとも、いつでもどこでも手軽に治療することが可能である。このため、ハンディタイプの超音波眼科治療器を使用する被治療者には、子供や高齢者が多い。
【０００８】
また、上記ハンディタイプの超音波眼科治療器は、被治療者が自身の手で把手部を握持し、導子部を自身に瞼に押し当てて使用するものであるが故に、上記ハンディタイプの超音波眼科治療器には、把手部を斜めに握持して使用する構造になっているものがある（例えば非特許文献１参照）。
【先行技術文献】
【特許文献】
【０００９】
【特許文献１】特開２００７−５４０８５号公報
【特許文献２】実開平７−３６３１号公報
【非特許文献１】“超音波治療器”、［ｏｎｌｉｎｅ］、グッドエイチピードットコム株式会社、［平成２４年６月１３日検索］、インターネット＜ＵＲＬ：http://www.eyepower.jp/＞
【考案の概要】
【考案が解決しようとする課題】
【００１０】
しかしながら、上記ハンディタイプの超音波眼科治療器では、治療の開始から終了までの間（例えばおよそ１０分間）、被治療者自身が両手あるいは片手を使って超音波眼科治療器を静止支持しておく必要があり、そのことが被治療者の上肢部に過度な負担がかかる場合があるという課題があった。
【００１１】
特に、子供や高齢者の被治療者にとっては、上肢部にかかる負担が原因で、ハンディタイプの超音波眼科治療器を使用した治療が過酷なものとなってしまう場合があった。
【００１２】
さらに、高齢者等で上肢部に障害がある被治療者は、少しの間でも超音波眼科治療器を静止支持することができず、そのためハンディタイプの超音波眼科治療器を使用した治療が困難になる場合があった。
【００１３】
本考案は、このような従来の課題を解決するためになされたものであり、被治療者の上肢部に負担をかけずに、いつでもどこでも手軽に超音波眼科治療を可能にすることを目的としたものである。
【課題を解決するための手段】
【００１４】
上記目的を達成するために、本考案の第１の保持器具は、ハンディタイプの超音波眼科治療器を保持して平坦面上に静止立設するための保持器具であって、前記平坦面に当接して略水平に設置される基体部と、前記基体部の正面側の端部から背面側に傾斜して立設され、正面視において略逆漏斗型をなす斜体部と、前記斜体部の頂部に固設されたガイド部と、前記ガイド部にスライド可能に挿通された支持部と、前記支持部の上端部に固設され、前記超音波眼科治療器が取りはずし可能に取り付けられる取付部とを備え、前記ガイド部および前記支持部ならびに前記取付部が、側面視において前記斜体部の傾斜角に応じて傾斜配設されていることを特徴とするものである。
【００１５】
本考案の第２の保持器具は、上記第１の保持器具において、前記基体部の背面側の端部から立設されたハンドル部をさらに備えたことを特徴とするものである。
【００１６】
本考案の第３の保持器具は、上記第１の保持器具または上記第２の保持器具において、前記ガイド部が、前記超音波眼科治療器を保持したときの重心移動を低減するバランサ機能を有することを特徴とするものである。
【００１７】
本考案の第４の保持器具は、上記第１の保持器具ないし上記第３の保持器具のいずれかにおいて、前記基体部および前記斜体部が、屈曲加工された１本の金属棒によって構成されていることを特徴とするものである。
【考案の効果】
【００１８】
本考案では、斜体部の頂部に、斜体部の側面視傾斜角に応じて、超音波眼科治療器を保持するとともにその保持位置の調整が可能なガイド部および支持部ならびに取付部を傾斜配設し、この斜体部を基体部の正面側の端部から背面側に斜立させたことにより、超音波眼科治療器を傾斜保持したときにも、正面側からの押圧力に優れた安定性を発揮できる構成を実現している。
【００１９】
従って、本考案によれば、被治療者が自身の上肢部で超音波眼科治療を保持しなくとも、超音波眼科治療の導子部を被治療者の眼球部の位置に正確に当てることができるので、被治療者の上肢部に負担をかけることなく、いつでもどこでも手軽に超音波眼科治療をすることができるという効果がある。
【図面の簡単な説明】
【００２０】
【図１】本考案の実施の形態の超音波眼科治療器の保持器具の詳細構成を説明する図である。
【図２】本考案の実施の形態の超音波眼科治療器の保持器具の概略構成および使用手順を説明する斜視図である。
【考案を実施するための形態】
【００２１】
本考案を実施するための形態について、図面を参照しつつ、以下に詳細に説明する。
【００２２】
図１は本考案の実施の形態の超音波眼科治療器の保持器具の詳細構成を説明する図である。図１において、（ａ）は本実施の形態の保持器具１００の上面図であり、（ｂ）は本実施の形態の保持器具１００の正面図であり、（ｃ）は本実施の形態の保持器具１００の側面図である。
【００２３】
また、図２は本考案の実施の形態の超音波眼科治療器の保持器具の概略構成および使用手順を説明する斜視図である。図２において、（ａ）は本実施の形態の保持器具１００に超音波眼科治療器２００を保持させる前（本実施の形態の保持器具１００単体）の図であり、（ｂ）は本実施の形態の保持器具１００に超音波眼科治療器２００を保持させて静止立設したときの図であり、（ｃ）は被治療者３００が本実施の形態の保持器具１００に保持されてテーブル４００上に静止立設された超音波眼科治療器２００の導子部２１０を瞼に軽く押し当てて治療しているときの図である。なお、超音波眼科治療器２００は、把手部２２０を斜めに握持して使用する構造を有するハンディタイプのものである。
【００２４】
本実施の形態の保持器具１００は、基体部１１０と、斜体部１２０と、ガイド部１３０と、支持部１４０と、取付部１５０と、ハンドル部１６０とを備えて構成されている。この保持器具１００は、ハンディタイプの超音波眼科治療器２００を保持してテーブル面４１０のような平坦面上に静止立設することにより、イス５００に座った被治療者３００の治療時の上肢部の負担を軽減するための補助器具である。
【００２５】
基体部１１０は、２本の基柱１１１，１１２によって構成されている。この基体部１１０は、保持器具１００をテーブル面４１０のような平坦面上に載置したときに、上記平坦面に当接して略水平に設置される部分である。
【００２６】
基体部１１０の正面側の端部においての基柱１１１と基柱１１２の間隔、つまり正面側の基柱端部１１１ａと基柱端部１１２ａの間隔をＷａとし、基体部１１０の背面側の端部においての基柱１１１と基柱１１２の間隔、つまり背面側の基柱端部１１１ｂと基柱端部１１２ｂの間隔をＷｂとすると、基柱１１１と基柱１１２は、平坦面載置時の安定性やハンドル部１６０の位置等を考慮して、
Ｗａ≦Ｗｂ
となるように配設される。なお、図１および図２では、間隔Ｗａと間隔Ｗｂは略等しくなっており、基柱１１１と基柱１１２は上面視において略平行に配設されている。
【００２７】
斜体部１２０は、２本の斜柱１２１，１２２と、頂柱１２３と、補強柱１２４とによって構成されている。この斜体部１２０は、基体部１１０の正面側の端部、つまり基柱端部１１１ａ，１１２ａから背面側に傾斜して立設されており、正面視において略逆漏斗型（逆漏斗の投影図型）をなす部分である。
【００２８】
斜柱１２１は、基柱端部１１１ａから、側面視において背面側に傾斜角θ（＜９０°）をなし、かつ正面視において中央寄りに傾斜角α（＜９０°）をなして立設され、頂柱１２３に連接されている。
【００２９】
同様に、斜柱１２２は、基柱端部１１２ａから、側面視において背面側に傾斜角θ（＜９０°）をなし、かつ正面視において中央寄りに傾斜角β（＜９０°）をなして立設され、頂柱１２３に連接されている。ここで、保持器具１００が載置される平坦面自体が傾斜している等の特別な事情がなければ、傾斜角βは、傾斜角αと同じ角度とされる。
【００３０】
なお、図１および図２では、超音波眼科治療器２００の保持姿勢および正面側からの押圧力についての安定性等を考慮して、傾斜角θはおよそ８０°に設定されている。また、斜体部１２０自体の強度等を考慮して、傾斜角αおよびβはおよそ６０°に設定されている。
【００３１】
頂柱１２３は、略逆Ｕ字型をなして上記略逆漏斗型の斜体部１２０の頂部に配設されている。この頂柱１２３は、斜柱１２１と斜柱１２２を連接固定する役目を果たすとともに、ガイド部１３０および支持部１４０ならびに取付部１５０を中空に傾斜配設するための基盤としての役目も果たしている。
【００３２】
つまり、頂柱１２３（および斜柱１２１，１２２）の側面視傾斜角は斜体部１２０の側面視傾斜角θであるので、ガイド部１３０および支持部１４０ならびに取付部１５０は、側面視において、傾斜角θに応じて傾斜配設されることとなる。従って、ガイド部１３０および支持部１４０の側面視傾斜角はおよそθであり、取付部１５０の側面視傾斜角はおよそ（９０°−θ）である。
【００３３】
斜柱１２１と斜柱１２２の間には、補強柱１２４が設けられている。補強柱１２４は、略水平に配設されており、その両端部は、それぞれ斜柱１２１，１２２の途中部分に接合されている。この補強柱１２４は、斜体部１２０の強度、特に側面側から加えられる力についての強度を補強する役目を果たす。なお、補強柱１２４は必要に応じて設けられるものであり、この補強柱１２４を設けない構成とすることも可能である。
【００３４】
ガイド部１３０は、略円柱型のガイド本体１３１と、蝶ネジ１３２と、２つの六角ネジ１３３，１３４とによって構成されている。このガイド部１３０は、斜体部１２０の頂部に固設されている。
【００３５】
つまり、ガイド部１３０のガイド本体１３１が、斜体部１２０の逆Ｕ字型の頂柱１２３に、六角ネジ１３３，１３４によってネジ止め固定されている。従って、ガイド本体１３１は、側面視において、斜体部１２０と略同じ傾斜角で配設されている。
【００３６】
ガイド本体１３１には、これと略同軸の挿通孔１３１ａが設けられている。また、ガイド本体１３１の周面には、挿通孔１３１ａまで貫通するネジ孔が設けられており、このネジ孔には、支持部１４０をガイド本体１３１に固定するための蝶ネジ１３２が螺合されている。
【００３７】
支持部１４０は、例えば、鉄または合金、あるいはそれらの表面に塗装またはメッキを施したもの、あるいはステンレス等の金属製の丸棒（丸型パイプを含む）である。この支持部１４０は、ガイド本体１３１の挿通孔１３１ａにスライド可能および回動可能に挿通されており、ガイド部１３０の蝶ネジ１３２を締め込んでその突端部を支持部１４０の周面に当接させることにより、ガイド本体１３１に固定される。
【００３８】
つまり、支持部１４０は、ガイド本体１３１と略同軸に、従ってガイド部１３０と略同じ傾斜角で配設されており、この傾斜角をもって上下にスライドし、あるいは回動することにより、取付部１５０の高さ位置および回動位置を調整する部分である。
【００３９】
取付部１５０は、略円盤型の取付台１５１と、取付バンド１５２と、蝶ネジ１５３と、スプリングワッシャ付ネジ１５４とによって構成されている。この取付部１５０は、支持部１４０の上端部に固設されており、超音波眼科治療器２００が取りはずし可能に取り付けられて静止保持される部分である。
【００４０】
取付台１５１は、ガイド本体１３１および支持部１４０と略同軸となるように、従ってその上面が支持部１４０と略垂直をなすように、支持部１４０の上端に例えばネジ止めによって固定されている。このため、取付台１５１は、支持部１４０の上下スライドに従って上下動可能であるとともに、支持部１４０の回動に従って支持部１４０との接合部位を中心に回動可能である。
【００４１】
取付バンド１５２は、例えば合成樹脂製あるいは金属製であり、蝶ネジ１５３によって取付台１５１の上面に当接固定される平バンド部１５２ａと、スプリングワッシャ付ネジ１５４によって取付台１５１の上面に当接固定される平バンド部１５２ｂの間に、超音波眼科治療器２００の把手部２２０を嵌合させて保持するための凸型バンド部１５２ｃが一体成型された構成である。
【００４２】
この取付バンド１５２は、蝶ネジ１５３を緩めてはずすことにより、スプリングワッシャ付ネジ１５４によって止められた部位を中心に回動可能となる。これにより、蝶ネジ１５３をはずして平バンド部１５２ａを取付台１５１の上面からずらせば、超音波眼科治療器２００の把手部２１０を凸型バンド部１５２ｃに嵌合させることができ、把手部２２０を嵌合させたままで平バンド部１５２ａを取付台１５１の上面に戻して蝶ネジ１５３で止めれば、超音波眼科治療器２００を取付部１５０に取り付けることができる。
【００４３】
そして、平バンド部１５２ｂのネジ止めにはスプリングワッシャ付ネジ１５４を使用しているので、上記のように取付バンド１５２の回動を繰り返しても、平バンド部１５２ｂのネジ止めが緩むことはなく、締め直し不要である。
【００４４】
凸型バンド部１５２ｃの内面には、超音波眼科治療器２００の把手部２２０の滑りやずれを防止するための例えば皮製あるいはゴム製の弾性ストッパ１５２ｄが張設されている。
【００４５】
なお、蝶ネジ１５３とスプリングワッシャ付ネジ１５４を入れ換えて、図１および図２とは逆に、平バンド部１５２ａをスプリングワッシャ付ネジ１５４で固定し、平バンド部１５２ｂを蝶ネジ１５３で固定する構成とすることも可能である。
【００４６】
被治療者３００は、右手と左手のいずれが利き手であるか、保持器具１００の正面側と背面側のいずれから超音波眼科治療器２００の取り付けおよび取りはずし作業をするか等を考慮して、自分にとってやり易いように蝶ネジ１５３およびスプリングワッシャ付ネジ１５４を設置することができる。
【００４７】
本実施の形態の保持器具１００において、ガイド部１３０は、超音波眼科治療器２００を保持したときの重心位置の上側移動および背面側移動を低減するバランサ機能を有する。つまり、ガイド部１３０が、支持部１４０のスライドガイドとしての役目の他に、バランス錘としての役目も併せて果たす構成とすることにより、上記の重心移動を低減して保持器具１００の安定性を高める。
【００４８】
このため、ガイド本体１３１は、例えば、鉄または合金、あるいはそれらの表面に塗装またはメッキを施したもの、あるいはステンレス等、重量のある金属製とすることが望ましい。また、可能な範囲内で、ガイド本体１３１のサイズを大きくすることも有効である。
【００４９】
さらに、本実施の形態の保持器具１００において、ガイド本体１３１は、斜体部１２０の背面側、つまり頂柱１２３の背面側に固設されている。しかしながら、このガイド本体１３１は、その構造上、頂柱１２３の正面側に固設することも可能である。なお、この場合、ガイド本体１３１を頂柱１２３に固設している２つの六角ネジ１３３，１３４は、頂柱１３１の背面側に位置することとなる。
【００５０】
斜体部１２０の頂柱１２３（および斜柱１２１，１２２）の断面直径をｑとし、ガイド本体１３１の上面（および下面）の半径をｒとすると、ガイド本体１３１を上記のように頂柱１２３の正面側に固設すれば、取付部１５０の位置を、正面側におよそ（ｑ＋ｒ×２）シフトさせることができる。そして、これに伴って、保持器具１００の重心位置を正面側にシフトさせることができる。
【００５１】
なお、ガイド本体１３１は、必ずしも略円柱型である必要はなく、例えば略角柱型とすることも可能である。
【００５２】
また、本実施の形態の保持器具１００において、取付部１５０が最低位置となるのは、取付部１５０の下面がガイド本体１３１の上面に当接するときである。逆に、取付部１５０が最高位置となるのは、支持部１４０がガイド本体１３１の挿通孔１３１ａに完全挿通されていることが取付部１５０を静止安定させるための要件であるとすれば、支持部１４０の下端部とガイド本体１３１の下面とが同じ面内に位置するときと考えることができる。
【００５３】
ここで、ガイド部１３０のガイド本体１３１を斜体部１２０の頂柱１２３に固設している２つの六角ネジ１３３と１３４の中間位置からガイド本体１３１の上面までの寸法をＴ１とし、上記中間位置からガイド本体１３１の下面までの寸法をＴ２とすると、本実施の形態の保持器具１００においては、
Ｔ１＞Ｔ２
となっている。
【００５４】
そして、ガイド本体１３１は、その構造上、上面と下面を逆転させて頂柱１２３に固設することも可能である。ガイド本体１３１を上記のように逆転させて固設すれば、取付部１５０の最低位置および最高位置を、下側におよそ（Ｔ１−Ｔ２）シフトさせることができる。このようにガイド本体１３１の逆転固設が可能であることにより、取付部１５０の高さ位置の調整可能範囲を下側に広げることができる。
【００５５】
ハンドル部１６０は、２本のハンドル支柱１６１，１６２と、例えば木製あるいは合成樹脂製の２つのハンドル本体１６３，１６４とによって構成されている。このハンドル部１６０は、基体部１１０の背面側の端部、つまり基柱端部１１１ｂ，１１２ｂから立設されており、治療時に被治療者３００が掌で軽く握ることによって、上肢部を休めるとともに、超音波眼科治療器２００の導子部２１０の位置の微調整を可能とするための部分である。
【００５６】
ハンドル支柱１６１は、基柱端部１１１ｂから立設されている。また、ハンドル本体１６３の底部には挿嵌孔が設けられている。そして、ハンドル本体１６３は、上記挿嵌孔とハンドル支柱１６１とを嵌合させることによってハンドル支柱１６１に嵌覆固設されている。
【００５７】
同様に、ハンドル支柱１６２は、基柱端部１１２ｂから立設されている。また、ハンドル本体１６４の底部には挿嵌孔が設けられている。そして、ハンドル本体１６４は、上記挿嵌孔とハンドル支柱１６２とを嵌合させることによってハンドル支柱１６２に嵌覆固設されている。
【００５８】
本実施の形態の保持器具１００を構成する基柱１１１，１１２、斜柱１２１，１２２、頂柱１２３、補強柱１２４、およびハンドル支柱１６１，１６２は、例えば、鉄または合金、あるいはそれらの表面に塗装またはメッキを施したもの、あるいはステンレス等の金属棒（金属パイプ含む）である。
【００５９】
これにより、１本の金属棒を屈曲加工するだけで、基柱１１１，１１２、斜柱１２１，１２２、頂柱１２３、およびハンドル支柱１６１，１６２を容易かつ安価に製作することができる。そして、上記屈曲加工を容易にするためには、上記金属棒は丸棒であることが望ましい。
【００６０】
なお、基体部１１０および斜体部１２０を、例えば、側面視において基体部１１０に相当する部分と斜体部１２０に相当する部分のなす角がθとなるように屈曲加工された１枚の金属板で構成することも可能である。
【００６１】
本実施の形態の保持器具１００の操作手順およびこれを使用した治療手順について、以下に説明する。
【００６２】
まず、治療者３００は、保持器具１００に超音波眼科治療器２００を取り付けて保持させ、この超音波眼科治療器２００を保持させた保持器具１００をテーブル面４１０に載置する。あるいは、治療者３００は、保持器具１００をテーブル面４１０に載置し、このテーブル面４１０に載置された保持器具１００に超音波眼科治療器２００を取り付けて保持させる。
【００６３】
このとき、保持器具１００の正面がテーブル４００の正面と略一致し、保持器具１００の正面側の基柱端部１１１ａ，１１２ａがテーブル４００の正面側の端辺から例えばおよそ１０ｃｍ背面側に位置するように、保持器具１００を載置する。
【００６４】
保持器具１００に超音波眼科治療器２００を取り付けるにあたり、治療者３００は、最初に取付バンド１５３の平バンド部１５２ａを固定している蝶ネジ１５３をはずす。さらに、スプリングワッシャ付ネジ１５４を回動軸として取付バンド１５３を例えばおよそ１８０°回動させることにより、凸型バンド部１５２ｃを取付台１５１上からはずれた位置までずらす。
【００６５】
そして、この凸型バンド部１５２ｃの内面に超音波眼科治療器２００の把手部２２０を嵌合させ、そのまま取付バンド１５３を上記とは逆に回動させることにより、凸型バンド部１５２ｃを取付台１５１上に戻し、平バンド部１５２ａを蝶ネジ１５３によって取付台１５１に固定する。これにより、超音波眼科治療器２００の把手部２２０は、弾性ストッパ１５２ｄが張設された凸型バンド部１５２ｃの内面および取付台１５１の上面によって、滑りやずれを生じることなく握持され、保持器具１００に静止保持される。
【００６６】
なお、上記と同様の手順で、超音波眼科治療器２００を取りはずすこともできる。つまり、蝶ネジ１５３をはずして取付バンド１５３を回動させ、把手部２２０を凸型バンド部１５２ｃからはずしたあと、取付バンド１５３を逆回動させて戻し、蝶ネジ１５３を付ける。
【００６７】
このように、本実施の形態の保持器具１００では、取付バンド１５３を取付台１５１から完全にはずさなくとも、つまり両ネジ（蝶ネジ１５３およびスプリングワッシャ付ネジ１５４）の内、蝶ネジ１５３のみをはずし、取付バンド１５３を取付台１５１に回動可能に半固定してままで、超音波眼科治療器２００の取り付けおよび取りはずしが容易にできる。
【００６８】
また、本実施の形態の保持器具１００では、回動軸となるネジにスプリングワッシャ付ネジ１５４を使用しているので、超音波眼科治療器２００の取り付けおよび取りはずしを繰り返しても、回動軸側のネジの締め直しは不要であり、手間がかからない。
【００６９】
さらに、本実施の形態の保持器具１００では、ガイド部１３０のガイド本体１３１がバランス錘としての機能を果たすので、超音波眼科治療器２００を保持器具１００に保持させても、重心位置の上側移動および背面側移動を低減することができ、静止安定性を著しく損なうことはない。このため、保持器具１００の載置面が揺動しても、転倒したりすることなく、保持した超音波眼科治療器２００の立設安定性を確保することができる。
【００７０】
次に、被治療者３００は、音波眼科治療器２００が自身の体の真正面に位置するようにイス５００に座り、導子部２１０の中心にある凹部が自身の眼球部の位置にくるように、主に保持器具１００の蝶ネジ１３２を操作して、音波眼科治療器２００の位置を調整する。
【００７１】
音波眼科治療器２００の位置調整にあたり、治療者３００は、最初に蝶ネジ１３２を緩める。すると、支柱部１４０がスライド可能となることによって、取付部１５０の上下動が可能となるので、音波眼科治療器２００の高さ位置の調整ができる。これとともに、支柱部１４０が回動可能となることによって、この支柱部１４０を回動軸として取付部１５０が回動可能となるので、音波眼科治療器２００の回動位置の調整ができる。
【００７２】
治療者３００は、音波眼科治療器２００の高さ位置および回動位置の調整を終了したら、蝶ネジ１３２を締め込んで支柱部１４０をガイド本体１３１に固定する。これにより、音波眼科治療器２００は調整された高さ位置および回動位置に静止立設される。
【００７３】
このように、本実施の形態の保持器具１００では、ガイド部１３０の蝶ネジ１３２を操作することのみで、取付部１５０の上下動および回動が可能となるので、音波眼科治療器２００の高さ位置調整および回動位置調整を極めて容易にできる。
【００７４】
次に、被治療者３００は、導子部２１０の凹部が眼球部の中心に位置するように、導子部２１０を例えば最初に右眼球部の瞼に軽く押し当て、音波眼科治療器２００のスイッチをＯＮにして、右眼球部の治療を開始する。
【００７５】
このまま、例えばおよそ５分間経過したら、右眼球部の瞼を導子部２１０から離して右眼球部の治療を終了し、今度は上記と同様に左眼球部の瞼に導子部２１０を軽く押し当て、左眼球部の治療を開始する。
【００７６】
そして、さらにおよそ５分間経過したら、左眼球部の瞼を導子部２１０から離して左眼球部の治療を終了し、音波眼科治療器２００のスイッチをＯＦＦする。
【００７７】
この治療の間（例えばおよそ１０分間）、治療者３００は、肘をテーブル面４１０の上に置き、ハンドル部１６０を掌で軽く握った姿勢をとれば、上肢部に過度な負担がかかることもなく、上肢部を休めることができる。
【００７８】
上記治療の開始にあたり、治療者３００は、頭部を静止させたまま、両掌でハンドル部１６０を操作して、音波眼科治療器２００を上半身に近づけるように微動させ、導子部２１０を瞼に押し当てるようにすることが望ましい。頭部を導子部２１０に近づけて治療を開始すると、前かがみの姿勢になり、上半身に過度の負担がかかるからである。
【００７９】
例えば、治療者３００の上半身と保持器具１００の正面側の基柱端部１１１ａ,１１２ａとの距離が１０ｃｍ以下であれば、上半身に過度な負担をかけることなく、治療することができる。
【００８０】
なお、本実施の形態の保持器具１００では、治療者３００は、上肢部に負担がかからず、楽な姿勢で治療できるが、それ故に治療中に眠くなってしまうことがある。治療中に眠くなった場合には、すぐに治療を中止することが望ましい。
【００８１】
本実施の形態の保持器具１００では、取付部１５０を傾斜配設するための基盤となる斜体部１２０を、基体部１１０の正面側の端部（基柱端部１１１ａ，１１２ａ）から斜立させた構成としたことにより、把手部２２０を斜めにして使用する構造の超音波眼科治療器２００を保持したとき、つまり超音波眼科治療器２００を傾斜保持したときにも、重心位置が過度に背面側に変位することを抑止できる。
【００８２】
このため、被治療者３００が導子部２１０を瞼に押し当てて治療することよって正面側から押圧されても、超音波眼科治療器２００の保持安定性を損なうことがない。これにより、治療の途中で導子部２１０が被治療者３００の眼球部からずれてしまうようなことはなく、開始から終了までの間、導子部２１０を眼球部の位置に留め置くことができる。
【００８３】
以上のように本考案の実施の形態では、斜体部１２０の頂柱１２３に、斜体部１２０の側面視傾斜角θに応じて、超音波眼科治療器２００を保持するとともにその保持位置の調整が可能なガイド部１３０および支持部１４０ならびに取付部１５０を傾斜配設し、この斜体部１２０を基体部１１０の正面側の基柱端部１１１ａ，１１２ａから背面側に斜立させたことにより、超音波眼科治療器２００を傾斜保持したときにも、正面側からの押圧力に優れた安定性を発揮できる構成を実現している。
【００８４】
従って、本考案の実施の形態によれば、被治療者３００が自身の上肢部で超音波眼科治療２００を保持しなくとも、超音波眼科治療２００の導子部２１０を被治療者３００の眼球部に正確に当てることができるので、被治療者３００の上肢部に負担をかけることなく、いつでもどこでも手軽に超音波眼科治療をすることができる。
【００８５】
以上、本考案を実施するための形態について詳細に説明したが、本考案はこれらに限定されるものではなく、その主旨を逸脱しない範囲において種々の変更が可能である。
【符号の説明】
【００８６】
１００  保持器具
１１０  基体部
１１１，１１２  基柱
１１１ａ，１１１ｂ，１１２ａ，１１２ｂ  基柱端部
１２０  斜体部
１２１，１２２  斜柱
１２３  頂柱
１２４  補強柱
１３０  ガイド部
１３１  ガイド本体
１３１ａ  挿通孔
１３２  蝶ネジ
１３３，１３４  六角ネジ
１４０  支持部
１５０  取付部
１５１  取付台
１５２  取付バンド
１５２ａ，１５２ｂ  平バンド部
１５２ｃ  凸型バンド部
１５２ｄ  弾性ストッパ
１５３  蝶ネジ
１５４  スプリングワッシャ付ネジ
１６０  ハンドル部
１６１，１６２  ハンドル支柱
１６３，１６４  ハンドル本体
２００  超音波眼科治療器
２１０  導子部
２２０  把手部
３００  被治療者
４００  テーブル
４１０  テーブル面
５００  イス
【図１】
0003178700.tif 000003
【図２】
0003178700.tif 000004